(57)【要約】【課題】  設定された色温度の照明光が不所望に変化することを抑制可能な照明装置を提供する。【解決手段】  照明装置１は、発光色の異なる光源１３を有する器具本体２と、各色光の強度を設定する操作部３８および器具本体２から出射された各色光の強度を検出する色センサ４０を有するリモコン装置３と、受信部５５が受信した照明制御信号に応じて各色光の強度が出力されるように光源１３を制御し、受信部５５が受信した色情報信号における各色光の強度比が照明制御信号における各色光の強度比となるように光源１３を制御する点灯回路部５８とを有する点灯装置４とを具備している。【選択図】図１
2009302008.tif 000002
【特許請求の範囲】
【請求項１】
発光色の異なる光源を有し、この光源から放射された異なる色光が混光されるように光源を配設している器具本体と；
器具本体の光源から放射される各色光の強度を設定する操作部と、器具本体の光源から放射された各色光の強度を検出する色センサと、前記操作部により設定された各色光の強度に対する照明制御信号および前記色センサにより検出された各色光の強度に対する色情報信号を生成する制御部と、前記照明制御信号および前記色情報信号をそれぞれ無線信号で送信する送信部とを有して構成されたリモコン装置と；
リモコン装置から送信された前記照明制御信号および前記色情報信号を受信する受信部と、受信部が受信した前記照明制御信号に応じて各色光の強度が出力されるように光源を制御し、受信部が受信した前記色情報信号における各色光の強度と前記照明制御信号に応じて出力している各色光の強度とを比較し、前記色情報信号における各色光の強度比が前記照明制御信号における各色光の強度比となるように光源を制御する点灯回路部とを有して構成された点灯装置と；
を具備していることを特徴とする照明装置。
【請求項２】
点灯装置は、受信部が受信した最新の照明制御信号および最新の色情報信号に応じて光源を制御した最新の各色光の強度比を記憶する記憶部を有し、点灯回路部は、受信部が照明制御信号を再び受信したときに記憶部から前記最新の照明制御信号および前記最新の各色光の強度比を読み出し、受信部が受信した照明制御信号が前記最新の照明制御信号と一致するときに、光源の出力が前記最新の各色光の強度比となるように光源を制御することを特徴とする請求項１記載の照明装置。
【発明の詳細な説明】
【技術分野】
【０００１】
本発明は、異なる複数種の発光色の光を混色して照明光を得る照明装置に関する。
【背景技術】
【０００２】
従来、発光色の異なる複数種の光を混光して所望の照明光を得ている。また、照明光の光色を変化させて空間を演出することが行われている。例えば、屋外の雰囲気を検出して、空間を最も快適な雰囲気に照明できるようにした調色照明装置が提案されている（特許文献１参照。）。この従来技術の調色照明装置は、色温度センサと昼光（照度）センサにより、現在の屋外の雰囲気を検出し、この雰囲気に応じて発光色の異なるランプを調光制御するものである。
【０００３】
また、周囲温度により、照明器具の色温度を制御することが行われている。例えば、室内の温度と外気温を比較演算した結果に応じて色温度を補正する可変色照明装置が提案されている（特許文献２参照。）。この従来技術の可変色照明装置は、照明空間とこの照明空間以外の温度を検出する温度センサと、照明空間とこの照明空間以外の温度差を比較演算する比較演算部と、その温度差に応じて色温度を補正する色温度補正手段を設けたので、外気温と室温の温度差に応じて人間の感覚に合致した色温度の制御を行うことができるというものである。
【０００４】
また、長期にわたり不変の白色光を生じることが可能な照明システムが提案されている（特許文献３参照。）。この従来技術の照明システムは、少なくとも１つの白色ＬＥＤおよび複数色のＬＥＤを含む光源と、光源から出射する光を検出し、光の検出に応答して、光源からの出射光を調整するように構成されたスペクトル・フィードバック制御システムを備えているものである。そして、スペクトル・フィードバックシステムは、色特定フィードバック信号を生じるように構成されたカラー・センサと、色特定フィードバック信号に応答して、色特定制御信号を発生するように構成されたコントローラと、色特定制御信号に応答して、色特定駆動信号を発生するように構成された駆動装置を含んで構成されている。フィードバックに応答して放射光を調整することによって、所望の輝度およびクロミナンス特性の白色光が維持されるというものである。
【特許文献１】特許第３２００７４４号公報（第２−３頁、第１−２図）
【特許文献２】特開平７−６８７８号公報（第２−３頁、第１−３図）
【特許文献３】特開２００５−２５９６９９号公報（第３−４頁、第１図）
【発明の開示】
【発明が解決しようとする課題】
【０００５】
特許文献１の調色照明装置は、色温度センサと昼光（照度）センサにより検出された雰囲気に応じて発光色の異なるランプを調光制御するので、ランプや照明器具の性能のばらつき、経年劣化および温度変化などにより、ランプの調光制御による空間の雰囲気が色温度センサと昼光センサにより検出された雰囲気と異なるようになるおそれがある。
【０００６】
また、特許文献２の可変色照明装置は、室内の温度と外気温を比較演算した結果に応じて照明器具の色温度を補正するので、ランプや照明器具の性能のばらつきおよび経年劣化などにより、補正された照明器具の色温度が室内の温度と外気温を比較演算した結果に応じて補正されたものと異なるようになるおそれがある。
【０００７】
また、特許文献３の照明システムは、光源から所望の白色光が得られ、その白色光が所望の輝度およびクロミナンス特性を有するように各カラーＬＥＤを制御するので、所望の色温度を有する照明光を得ることができないものである。
【０００８】
本発明は、設定された色温度の照明光が不所望に変化することを抑制可能な照明装置を提供することを目的とする。
【課題を解決するための手段】
【０００９】
請求項１に記載の照明装置の発明は、発光色の異なる光源を有し、この光源から放射された異なる色光が混光されるように光源を配設している器具本体と；器具本体の光源から放射される各色光の強度を設定する操作部と、器具本体の光源から放射された各色光の強度を検出する色センサと、前記操作部により設定された各色光の強度に対する照明制御信号および前記色センサにより検出された各色光の強度に対する色情報信号を生成する制御部と、前記照明制御信号および前記色情報信号をそれぞれ無線信号で送信する送信部とを有して構成されたリモコン装置と；リモコン装置から送信された前記照明制御信号および前記色情報信号を受信する受信部と、受信部が受信した前記照明制御信号に応じて各色光の強度が出力されるように光源を制御し、受信部が受信した前記色情報信号における各色光の強度と前記照明制御信号に応じて出力している各色光の強度とを比較し、前記色情報信号における各色光の強度比が前記照明制御信号における各色光の強度比となるように光源を制御する点灯回路部とを有して構成された点灯装置と；を具備していることを特徴とする。
【００１０】
本発明および以下の発明において、特に言及しない限り、各構成は以下による。
【００１１】
光源は、発光色の異なる発光部を有して構成されてもよく、個々に発光色が異なるものであってもよい。
【００１２】
操作部は、手動操作により、光源を点灯、消灯または調光させるように構成されている。「各色光の強度を設定する」とは、各色光の混光の割合が変化されることを意味し、これにより、混光された照明光の色温度が設定される。光源の調光は、各色光の強度が変化されることである。また、操作部は、各色光の強度を個別に可変できるように構成されていてもよく、または、予め設定された色光の強度パターンを選択できるように構成されていてもよい。
【００１３】
照明制御信号および色情報信号は、制御部の制御により、送信部から送信される。制御部は、操作部での手動操作に応じて照明制御信号を送信させる。色情情報信号は、常時、設定された時刻、一定の時間間隔ごとに、または、任意の送信操作などにより送信させることができる。
【００１４】
「各色光の強度比」とは、各色光のそれぞれの定格強度または最大強度に対する各色光のそれぞれの比率であってもよく、各色光の合計強度に対する各色光の強度比率であってもよい。
【００１５】
「受信部が受信した色情報信号における各色光の強度比が照明制御信号における各色光の強度比となるように」とは、色情報信号および照明制御信号のそれぞれの各色光の強度比が完全に一致することに限定するものではなく、略一致または色情報信号における各色光の強度比が照明制御信号における各色光の強度比に可能な限り近づくことを包含する。
【００１６】
本発明によれば、点灯装置の点灯回路部は、受信部が受信した照明制御信号および色情報信号に基づいて、色センサにより検出される各色光における強度比が操作部において設定された各色光の強度比となるように光源の出力を制御する。これにより、光源や器具本体の性能のばらつきや経年劣化、または、光源や器具本体の温度変化などに係わらず、操作部において設定された各色光の強度を有する照明光が得られる。
【００１７】
請求項２に記載の照明装置の発明は、請求項１に記載の照明装置の発明において、点灯装置は、受信部が受信した最新の照明制御信号および最新の色情報信号に応じて光源を制御した最新の各色光の強度比を記憶する記憶部を有し、点灯回路部は、受信部が照明制御信号を再び受信したときに記憶部から前記最新の照明制御信号および前記最新の各色光の強度比を読み出し、受信部が受信した照明制御信号が前記最新の照明制御信号と一致するときに、光源の出力が前記最新の各色光の強度比となるように光源を制御することを特徴とする。
【００１８】
本発明によれば、点灯回路部は、受信部が照明制御信号を再び受信すると、記憶部から最新の照明制御信号および最新の各色光の強度比を読み出し、受信部が受信した照明制御信号と記憶部から読み出した最新の照明制御信号を比較し、両者が一致すると、各色光の出力が記憶部から読み出した最新の各色光の強度比となるように光源の出力を制御する。したがって、照明光が照射する被照射面は、操作部において設定された所望の照明光で迅速に照明される。
【発明の効果】
【００１９】
請求項１の発明によれば、色センサにより検出された各色光の強度比が操作部において設定された各色光の強度比となるように光源の出力が制御されるので、設定された色温度の照明光が光源や器具本体の性能のばらつき、経年劣化および温度の変化などの要因により不所望に変化することを抑制することができ、操作部において設定した所望の照明空間を提供することができる。
【００２０】
請求項２の発明によれば、受信部が記憶部に記憶されている照明制御信号を再び受信すると、光源の各色光の出力が記憶部に記憶されている最新の各色光の強度比となるように制御されるので、操作部において設定された所望の照明光を迅速に得ることができる。
【発明を実施するための最良の形態】
【００２１】
以下、本発明の一実施の形態について、図面を参照して説明する。
【００２２】
図１ないし図１２は、本発明の一実施の形態を示し、図１は照明装置の概略構成図、図２は器具本体の概略上面図、図３は器具本体であり、（ａ）は概略下面図、（ｂ）は制光体を取り外した状態の概略下面図、図４は器具本体の概略側断面図、図５はＬＥＤモジュールの概略正面図、図６はＬＥＤモジュールの配置図、図７はリモコン装置の概略ブロック図、図８はリモコン装置の概略正面図、図９は点灯装置の概略ブロック図、図１０は点灯回路の概略回路図、図１１は各発光ダイオードに対する電流の供給を示す説明図、図１２は各色光の分光分布図である。
【００２３】
図１において、照明装置１は、器具本体２、リモコン装置３および点灯装置４を有して構成されている。
【００２４】
照明装置１は、天井５に吊り下げられて設置される吊り下げ型の照明装置である。器具本体２は、天井５に固定されたペンダントベース６に吊下げ部材例えばチェーン７により吊り下げられている。ペンダントベース６は、アンテナ８を取り付けているとともに、点灯装置４を内蔵している。点灯装置４は、電源コード９により器具本体２に接続され、リモコン装置３から送信された無線信号により照明装置１の点消灯、調光および色温度の制御を行うものである。
【００２５】
器具本体２は、例えばアルミニウム（Ａｌ）の一体成形品であり、図４に示すように、上側の中央部に膨出部１０を有する略円盤状に形成されている。そして、器具本体２は、下側の中央部に正面視略円状であって膨出部１０に達する深い１つの大きな凹部１１が形成され、上側の周回部に正面視略円状の複数の凹部１２がそれぞれ形成されている。
【００２６】
そして、凹部１１には、その底面１１ａに器具本体２の下側に光を照射する光源としての複数個のＬＥＤモジュール１３（下方照明用ＬＥＤモジュール１３ａ）が環状に配設されているとともに、ＬＥＤモジュール１３ａを覆う透光性の制光体１４を取り付けている。また、凹部１２には、その底面１２ａに器具本体２の上側に光を照射するＬＥＤモジュール１３（上方照明用ＬＥＤモジュール１３ｂ）がそれぞれ配設されているとともに、ＬＥＤモジュール１３ｂを覆う透光性のカバー１５を取り付けている。各ＬＥＤモジュール１３と点灯装置４は、電源コード９を介して電気的に接続されている。
【００２７】
ＬＥＤモジュール１３ａは、図３に示すように、凹部１１の中心部に１個、その周りに周方向であって等間隔に７個、さらにその外側に周方向であって等間隔に８個がそれぞれ配設されている。制光体１４は、凹部１１に嵌合して配置されている。制光体１４は、ＬＥＤモジュール１３ａのまぶしさを緩和するために、拡散透光性の材料例えば乳白色の合成樹脂で形成され、図３（ａ）および図４に示すように、例えば中央部に孔１６を有している。
【００２８】
ＬＥＤモジュール１３ｂは、図２に示すように、器具本体２の上面の周回部に周方向であって等間隔に例えば８個配設されている。すなわち、器具本体２の上面に環状に配設されている。カバー１５は、透明な樹脂板等からなっている。カバー１５は、ＬＥＤモジュール１３ｂと同数用意され、図２および図４に示すように、ＬＥＤモジュール１３ｂを個別に上方から覆って器具本体２に取付けられている。
【００２９】
膨出部１０には、図４に示すように、その上面の大部分を占める円状の浅い凹部１７が形成され、この凹部１７に底面から上向きに突出する多数の放熱凸部１８が形成されている。放熱凸部１８は、柱状例えば角柱状であり、図２に示すように、凹部１７の全域を埋め尽くすように縦横に整列して設けられている。縦横に隣接した放熱凸部１７の相互間にはそれぞれ空隙が形成されている。空隙は、天井５と膨出部１０の間に開放していて、そこに空気が流通できるようになっている。また、器具本体２のＬＥＤモジュール１３ｂの間には、環状に、すなわちＬＥＤモジュール１３ｂの配設方向である膨出部１０の中心部を中心とする円周上に沿って、凸条からなる複数の放熱凸部１９が形成されている。
【００３０】
光源としてのＬＥＤモジュール１３は、図５に示すように、基板２０および発光色の異なる複数の第１〜第４の発光部２１，２２，２３，２４を有して構成されている。
【００３１】
基板２０は、セラミックや合成樹脂などの電気絶縁物からなり、その外形が正面視正八角形に形成され、その中央部に例えば縦横各３０ｍｍの大きさに形成された四角形の凹部２５を有している。この凹部２５の底面には、銅箔や銀箔などの金属箔からなる図示しない熱拡散層が設けられている。そして、凹部２５は、合成樹脂や金属板からなる仕切り２６により複数の領域に区画され、それぞれの領域が第１〜第４の発光部２１，２２，２３，２４に形成されている。
【００３２】
第１の発光部２１は、四角な凹部２５を、その平行な二辺に沿って平行に三等分した中央部の長方形の領域に設けられ、黄色光を発光するように形成されている。すなわち、当該領域に複数個例えば８個の青色発光ダイオード２７（以下、青色ＬＥＤ２７と略称する。）が設けられているとともに、これら青色ＬＥＤ２７を封止して透光性の第１の封止部材２８が設けられていて、この第１の封止部材２８に図示しない蛍光体が混ぜられている。
【００３３】
各青色ＬＥＤ２７は、４３５〜４７５ｎｍの間にピーク波長を有するチップ状のＬＥＤが用いられている。第１の封止部材２８は、透明シリコーン樹脂などからなり、図示しない蛍光体が好ましくは均一に分散して混ぜられている。この蛍光体は、青色ＬＥＤ２７が発する青色の光により励起されて、青色光と異なる波長の光である黄色の光を放射する黄色蛍光体が用いられている。黄色蛍光体は、図１２に示すように、５５０〜６００ｎｍの間にピーク波長を有する。この黄色蛍光体が混ぜられた第１の封止部材２８で青色ＬＥＤ２７が封止された領域は、以下、黄色発光領域Ｙとも称する。
【００３４】
第２の発光部２２は、黄色発光領域Ｙを除く四角な凹部２５を、黄色発光領域Ｙの長手方向に沿って平行に三等分した黄色発光領域Ｙの長手方向中央部の両側の領域（図５において上下両側）に設けられ、緑色光を発光するように形成されている。すなわち、当該一対の領域に青色発光ダイオード２９（以下、青色ＬＥＤ２９と略称する。）が複数個例えば４個ずつ設けられているとともに、これら青色ＬＥＤ２９を封止して透光性の第２の封止部材３０が設けられていて、この第２の封止部材３０に図示しない蛍光体が混ぜられている。各青色ＬＥＤ２９は、各領域で電気的に直列接続されている。
【００３５】
各青色ＬＥＤ２９は、青色ＬＥＤ２７と同様に形成され、４３５〜４７５ｎｍの間にピーク波長を有する。第２の封止部材３０は、透明シリコーン樹脂などからなり、図示しない蛍光体が好ましくは均一に分散して混ぜられている。この蛍光体には、青色ＬＥＤ２９が発する青色の光により励起されて、青色光と異なる波長の光である緑色の光を放射する緑色蛍光体が用いられている。緑色蛍光体は、図１２に示すように、４９５〜５３５ｎｍの間にピーク波長を有する。この緑色蛍光体が混ぜられた第２の封止部材３０で青色ＬＥＤ２９が封止された領域は、以下、緑色発光領域Ｇとも称する。緑色発光領域Ｇの面積は、黄色発光領域Ｙの略２／３となっている。
【００３６】
第３の発光部２３は、第１の発光部２１の長手方向の一端側であって第２の発光部２２を挟む領域にそれぞれ設けられている。そして、第３の発光部２３は、複数の青色発光ダイオード３１（以下、青色ＬＥＤ３１と略称する。）と、第３の封止部材３２とを有してなり、青色光を発光するように形成されている。青色ＬＥＤ３１は、領域ごとに電気的に直列接続されている。
【００３７】
各青色ＬＥＤ３１は、青色ＬＥＤ２７と同様に形成され、４３５〜４７５ｎｍの間にピーク波長を有する。第３の封止部材３２は、透明シリコーン樹脂などからなり、これには蛍光体は混ぜられていない。したがって、第３の発光部２３は、図１２に示すように、４３５〜４７５ｎｍの間にピーク波長を有する青色光を放射する。第３の封止部材３２で青色ＬＥＤ３１が封止された領域は、以下、青色発光領域Ｂとも称する。
【００３８】
第４の発光部２４は、赤色発光部であり、第１の発光部２１の長手方向の他端側であって第２の発光部２２を挟む領域にそれぞれ設けられている。そして、第４の発光部２４は、複数の赤色発光ダイオード３３（以下、赤色ＬＥＤ３３と略称する。）と、第４の封止部材３４とを有してなり、赤色光を発光するように形成されている。
【００３９】
赤色ＬＥＤ３３は、ピーク波長が６１０ｎｍ以上である発光をするチップ状の赤色ＬＥＤが用いられている。第４の封止部材３４は、透明シリコーン樹脂などからなり、これには蛍光体は混ぜられていない。したがって、第４の発光部３４は、図１２に示すように、６１０ｎｍ以上にピーク波長を有する赤色光を放射する。第４の封止部材３４で赤色ＬＥＤ３３が封止された領域は、以下、赤色発光領域Ｒとも称する。
【００４０】
このように構成されたＬＥＤモジュール１３は、例えば、その黄色発光領域Ｙから発する黄色光の発光効率が７２（ｌｍ／Ｗ）、緑色発光領域Ｇから発する緑色光の発光効率が７０（ｌｍ／Ｗ）、青色発光領域Ｂから発する青色光の発光効率は１２（ｌｍ／Ｗ）、赤色発光領域Ｒから発する赤色光の発光効率は２５（ｌｍ／Ｗ）である。
【００４１】
そして、ＬＥＤモジュール１３は、電気コネクタ３５，３５を具備している。電気コネクタ３５，３５は、黄色発光領域Ｙをその長手方向両側から挟むように基板２０に搭載されている。また、基板２０には、その凹部２５の周りに複数の固定孔３６が設けられている。ＬＥＤモジュール１３は、固定孔３６を通るねじ等の固定部品（図示しない）によって器具本体２に固定される。すなわち、ＬＥＤモジュール１３ａは、器具本体２の下側の凹部１１において、図６に示すように、赤色光を放射する第４の発光部２４が外側となるように配設されている。隣接したＬＥＤモジュール１３ａ，１３ａは、それらの電気コネクタ３５，３５間にわたって配線される絶縁被覆電線３７を介して電気的に接続されている。
【００４２】
また、ＬＥＤモジュール１３ｂは、器具本体２の上側の凹部１２において、第４の発光部２４が膨出部１０の中心部に対して外側となるように配設されている。こうして、器具本体２は、光源としてのＬＥＤモジュール１３から放射された異なる色光である黄色光、緑色光、青色光および赤色光が混光されるように、複数のＬＥＤモジュール１３を配設している。
【００４３】
リモコン装置３は、図７に示すように、操作部３８、表示部３９、色センサ４０、制御部４１、送信部４２、送信用アンテナ４３、電源部４４、太陽電池パネル４５および記憶部４６を有して構成されている。
【００４４】
操作部３８は、器具本体２に配設されているＬＥＤモジュール１３を点灯、消灯および調光点灯させるとともに、ＬＥＤモジュール１３から放射される黄色光、緑色光、青色光および赤色光の各色光の強度を所望に設定する手動操作の部位である。表示部３９は、各色光の強度などの各種表示を行う。色センサ４０は、各色光の強度を検出する。
【００４５】
制御部４１は、操作部３８からの操作信号に応じて照明制御信号を生成し、色センサ４０からの検出信号に応じて色情報信号を生成するとともに、表示部３９への表示制御などの各種制御を行う。送信部４２は、照明制御信号および色情報信号をアンテナ４３から無線送信する。電源部４４は、制御部４１などに動作電源を供給するように構成されている。また、電源部４４は、太陽電池パネル４５から充電されるバッテリを具備している。記憶部４６は、不揮発性であり、各色光の定格強度などを記憶する。
【００４６】
リモコン装置３の表面３ａには、図８に示すように、操作部３８の点灯スイッチ４７、消灯スイッチ４８、調光用のアップスイッチ４９およびダウンスイッチ５０が配設されている。これらのスイッチ４７〜５０が押圧されると、制御部４１は、光源としてのＬＥＤモジュール１３を点灯、消灯、調光率を上昇または調光率を低下させる照明制御信号を生成して、送信部４２から無線送信させる。
【００４７】
また、リモコン装置３の表面３ａには、操作部３８の選択スイッチ５１、確定スイッチ５２、強度調整用のアップスイッチ５３およびダウンスイッチ５４が設けられている。選択スイッチ５１は、各色光を選択するものである。すなわち、選択スイッチ５１を押圧する毎に、黄色光、緑色光、青色光および赤色光の順に色光が選択される。選択された色光は、制御部４１の制御により表示部３９に表示される。
【００４８】
アップスイッチ５３およびダウンスイッチ５４は、選択スイッチ５１により選択された色光の強度比（０〜１００％）を選択するものである。すなわち、アップスイッチ５３を押圧し続けると、選択する色光の強度比が次第に増加し、ダウンスイッチ５４を押圧し続けると、選択する色光の強度が次第に減少していく。増減する色光の強度比は、制御部４１の制御により表示部３９に表示される。
【００４９】
そして、所望の強度比となったときに、確定スイッチ５２を押圧することにより、色光の強度比が設定され、制御部４１は、当該強度比を調光率１００％（全光）の強度として記憶部４６に記憶させる。各色光の強度比は、各色光の後述する定格強度に対する比率である。こうして、操作部３８は、器具本体２のＬＥＤモジュール１３から放射される各色光の強度を設定する。
【００５０】
色センサ４０は、リモコン装置３の表面３ａに設けられ、各色光の強度をそれぞれ検出する色センサ４０ａ，４０ｂ，４０ｃ，４０ｄからなっている。各色センサ４０ａ，４０ｂ，４０ｃ，４０ｄは、図示しない色フィルタおよびフォトダイオードなどの光電変換素子をそれぞれ有して形成されている。色フィルタは、図１２に示す各色光のピーク波長を中心とする所定の波長領域の光を透過するものである。光電変換素子は、色フィルタを透過した光を電圧に変換し、制御部４１に入力する。こうして、色センサ４０は、器具本体２のＬＥＤモジュール１３から放射された各色光の強度を検出する。
【００５１】
そして、制御部４１は、色センサ４０が検出した各色光の強度に対して、各色光のそれぞれの定格強度に対する強度比を演算し、この強度比を色情報信号に生成して、送信部４２から無線送信するように構成されている。また、制御部４１は、色情報信号を一定時間ごとに送信させる。ここで、当該定格強度は、前もって自動的に設定されて記憶部４６に記憶させている。すなわち、例えば操作部３８の確定スイッチ５２を連続して複数回押圧すると、制御部４１は、操作部３８により設定される各色光の強度比をそれぞれ１００％とし、かつＬＥＤモジュール１３を全光（調光率１００％）とする照明制御信号を生成して、送信部４２から無線信号で送信させる。
【００５２】
点灯装置４は、当該無線信号に応じてＬＥＤモジュール１３を全光点灯させる。すなわち、第１〜第４の発光部２１〜２４の各青色ＬＥＤ２７，２９，３１および赤色ＬＥＤ３３に定格電流が流れるようにする。第１〜第４の発光部２１〜２４は、定格電流に応じた色光をそれぞれ放射する。この各色光の強度は、色センサ４０ａ〜４０ｄによりそれぞれ検出される。制御部４１は、色センサ４０ａ〜４０ｄにより検出された各色光の強度を定格強度として記憶部４６に記憶させるものである。
【００５３】
表示部３９は、その表示面３９ａがリモコン装置３の表面３ａに露出するように設けられている。また、太陽電池パネル４５もリモコン装置３の表面３ａに露出するように設けられている。
【００５４】
点灯装置４は、図９に示すように、受信部５５、制御部５６および点灯回路５７から形成される点灯回路部５８、不揮発性の記憶部５９および電源部６０を有して構成されている。受信部５５には、アンテナ８が接続されている。受信部５５は、リモコン装置３から無線送信された照明制御信号および色情報信号を受信し、制御部５６に送出する。
【００５５】
制御部５６は、受信部５５が受信した照明制御信号および色情報信号に応じて点灯回路５７を制御する。すなわち、ＬＥＤモジュール１３から放射される各色光の強度が照明制御信号に付与されている各色光の強度比およびその調光率となるように点灯回路５７を制御する。この後、受信部５５が色情報信号を受信すると、色情報信号に付与されている各色光の強度比と、照明制御信号に応じて制御している各色光の強度比、すなわち照明制御信号に付与されている各色光の強度比とを比較してそれぞれの差分を演算し、それぞれの差分が零となるように、または、それぞれの差分が零に近づくように点灯回路５７を制御する。
【００５６】
また、制御部５６は、受信部５５が受信した最新の照明制御信号および受信部５５が受信した最新の色情報信号に応じてＬＥＤモジュール１３を制御した最新の各色光の強度比を不揮発性の記憶部５９に記憶させるように形成されている。そして、受信部５５が照明制御信号を再び受信したときには、記憶部５９から最新の照明制御信号および最新の各色光の強度比を読み出して、受信部５５が受信した照明制御信号が記憶部５９から読み出した最新の照明制御信号と一致すると、ＬＥＤモジュール１３から放射される各色光の強度比が当該最新の各色光の強度比となるように点灯回路５７を制御するように形成されている。
【００５７】
点灯回路５７は、制御部５６の制御により、ＬＥＤモジュール１３の第１〜第４の発光部２１〜２４のそれぞれの青色ＬＥＤ２７，２９，３１および赤色ＬＥＤ３３に流れる電流を調整するように構成されている。点灯回路５７は、図１０に示すように、力率改善回路６２および定電流回路６３〜６６を有して構成され、電源部６０から電力を供給している。
【００５８】
電源部６０は、コンデンサＣ１，Ｃ２およびトランスＴ１からなるノイズフィルタ回路６７および整流装置６８を有して構成され、商用交流電源Ｖｓの交流電圧を直流電圧に変換して出力する。整流装置６８の出力負極側は、コンデンサＣ３を介してアースＥに接続されている。なお、電源部６０は、図示しない降圧チョッパ回路などにより整流装置６８の出力電圧を降圧し平滑して、制御部５６や受信部５５などに動作電源を供給している。
【００５９】
点灯回路５７の力率改善回路６２は、コンデンサＣ４、電解コンデンサＣ５、インダクタＬ１、ダイオードＤ１、電界効果トランジスタＱ１、抵抗などの電流検出素子６９および制御回路７０により、チョッパ回路に形成されている。制御回路７０により電界効果トランジスタＱ１がオンオフ制御されて、電解コンデンサＣ５の両端間に所定の直流電圧が発生している。
【００６０】
定電流回路６３，６４，６５，６６は、それぞれＬＥＤモジュール１３の第１の発光部２１、第２の発光部２２、第３の発光部２３、第４の発光部２４を介して力率改善回路６２に接続されている。
【００６１】
定電流回路６３は、ＮＰＮ形トランジスタＱ２および抵抗Ｒ１が第１の発光部２１の青色ＬＥＤ２７に直列的に接続されて、電解コンデンサＣ５の両端間に接続されている。そして、トランジスタＱ２のベースおよび抵抗Ｒ１の両端間に、ＮＰＮ形トランジスタＱ３が接続され、さらに抵抗Ｒ２および直流電圧源Ｖｒｅｆ１の直列回路が接続され、さらにダイオードＤ２、オペアンプＯＰ１および直流電圧源Ｖｒｅｆ２の直列回路が接続されている。直流電圧源Ｖｒｅｆ２は、オペアンプＯＰ１の非反転入力端子に接続されている。オペアンプＯＰ１の反転入力端子は、出力端子に接続されている。ダイオードＤ２は、カソード側がオペアンプＯＰ１の出力端子、アノード側がトランジスタＱ２のベース側となるようにして接続されている。そして、トランジスタＱ３のベースは、制御部５６に接続されている。
【００６２】
オペアンプＯＰ１は、トランジスタＱ２のベースに印加している電圧を引き抜くように作用し、トランジスタＱ２のベースに直流電圧源Ｖｒｅｆ２の直流電圧と同等の一定電圧を印加させる。これにより、トランジスタＱ３のオフ時、トランジスタＱ２がオンして、抵抗Ｒ１の両端間には、ほぼ当該一定電圧が発生する。この結果、力率改善回路６２の電解コンデンサＣ５の両端間電圧より抵抗Ｒ１の両端間電圧を減じた直流電圧が直列接続された青色ＬＥＤ２７の両端間に印加され、図１１に示すように、青色ＬＥＤ２７に一定電流ＡＲが流れる。そして、トランジスタＱ３がオンすると、トランジスタＱ２がオフして、青色ＬＥＤ２７に電流が流れなくなる。こうして、トランジスタＱ３（トランジスタＱ２）がオンオフされ、所定時間内のオン時間およびオフ時間が調整されることにより、青色ＬＥＤ２７に流れる平均電流が調整される。青色ＬＥＤ２７に一定電流ＡＲが流れることにより、第１の発光部２１から黄色光が放射される。
【００６３】
制御部５６は、トランジスタＱ３のベースにハイ信号を供給してトランジスタタＱ３をオンさせ、ロウ信号を供給してトランジスタＱ３をオフさせる。そして、照明制御信号における黄色光の強度比が定格強度（１００％）であって調光率１００％（全光）のとき、青色ＬＥＤ２７に定格電流の平均電流が流れるようにトランジスタＱ３をオン時間およびオフ時間を制御する。そして、定格強度および全光に対する強度比に応じてトランジスタＱ３のオン時間およびオフ時間を制御し、青色ＬＥＤ２７に流れる平均電流を調整する。これにより、照明制御信号における黄色光の強度比および調光率に応じた黄色光が第１の発光部２１から放射される。
【００６４】
そして、制御部５６は、色情報信号における黄色光の強度比と、照明制御信号における黄色光の強度比の差分が零となるように、または、当該差分が零に近づくようにトランジスタＱ３のオン時間およびオフ時間を調整するものである。
【００６５】
定電流回路６４，６５，６６は、定電流回路６３と同様に構成され、図１１に示すように、それぞれのトランジスタＱ３のオン時間およびオフ時間が照明制御信号および色情報信号の緑色光、青色光、赤色光のそれぞれの強度比に応じて調整される。
【００６６】
次に、本発明の一実施の形態の作用について述べる。
【００６７】
リモコン装置３の点灯スイッチ４７を押圧すると、照明制御信号が送信用アンテナ４３から無線送信される。照明制御信号は、天井５に固定されたペンダントベース６に取り付けられたアンテナ８を介して点灯装置４の受信部５５により受信され、制御部５６に送出される。
【００６８】
制御部５６は、照明制御信号に付与された各色光のそれぞれの強度比に応じて、図１０および図１１に示すように、定電流回路６３，６４，６５，６５のそれぞれのトランジスタＱ３のオン時間およびオフ時間を制御する。これにより、青色ＬＥＤ２７にトランジスタＱ３のオンオフ制御に応じた平均電流が流れて、青色ＬＥＤ２７が発光（点灯）し、第１の発光部２１（ＬＥＤモジュール１３の黄色発光領域Ｙ）からは、図１２に示すように、５５０〜６００ｎｍの間にピーク波長を有する黄色光が放射される。同様に、青色ＬＥＤ２９が発光し、第２の発光部２２（緑色発光領域Ｇ）からは、４９５〜５３５ｎｍの間にピーク波長を有する緑色光が放射され、青色発光ＬＥＤ３１が発光し、第３の発光部２３（青色発光領域Ｂ）からは、４３５〜４７５ｎｍの間にピーク波長を有する青色光が放射され、赤色ＬＥＤ３３が発光し、第４の発光部２４（赤色発光領域Ｒ）からは、６１０ｎｍ以上のピーク波長を有した赤色光が放射される。この発光色の異なる四色の光が混じって白色光が形成される。
【００６９】
そして、ＬＥＤモジュール１３ａからの白色光で器具本体２の下方の床面が照明される。また、ＬＥＤモジュール１３ｂからの白色光で器具本体２の上方の天井面が照明されるとともに、天井面で反射された白色光が器具本体２の下方の床面を照明する。
【００７０】
リモコン装置３は、器具本体２のＬＥＤモジュール１３から放射されている白色光（照明光）の照明領域内の机面などの置物面に置かれて、白色光により照らされている。そして、色センサ４０は、白色光の強度を検出する。すなわち、色センサ４０ａ，４０ｂ，４０ｃ，４０ｄがそれぞれ黄色光，緑色光，青色光，赤色光の強度を検出する。制御部４１は、記憶部４６に記憶されている各色光の定格強度と、色センサ４０が検出した各色光の強度とをそれぞれ対比して、各色光の強度比を演算し、各色光の強度比を付与した色情報信号を生成する。色情報信号は、送信部４２により送信用アンテナ４３から無線送信される。このとき、制御部４１は、一定時間例えば１時間毎に、色情報信号を無線送信させる。
【００７１】
色情報信号は、ペンダントベース６に取り付けられたアンテナ８を介して点灯装置４の受信部５５により受信される。制御部５６は、色情報信号に付与されている各色光の強度比と、照明制御信号に付与されている各色光の強度比を比較して、各色光の強度比に対する差分を演算する。
【００７２】
そして、制御部５６は、当該差分が零となるように、または、零に近づくように、点灯回路５７の定電流回路６３，６４，６５，６５のそれぞれのトランジスタＱ３のオン時間およびオフ時間を調整する。これにより、ＬＥＤモジュール１３の第１〜第４の発光部２１〜２４の各青色ＬＥＤ２７，２９，３１および赤色ＬＥＤ３３に流れる平均電流が調整されて、第１〜第４の発光部２１〜２４から放射される各色光の強度が変化（増減）する。そして、リモコン装置３の色センサ４０で検出される各色光の定格強度に対する強度比は、操作部３８において設定された各色光の強度比と一致または略一致するようになる。
【００７３】
このように、リモコン装置３において色センサ４０により検出された各色光の強度比が操作部３８で設定された各色光の強度比となるように、器具本体２に配設されている光源としてのＬＥＤモジュール１３の出力が制御されるので、各ＬＥＤモジュール１３や器具本体２の性能のばらつき、経年劣化および周囲温度の変化などの要因により、リモコン装置３の操作部３８で設定された色温度の照明光が不所望に変化することを抑制することができて、所望の照明空間を提供することができる。
【００７４】
そして、リモコン装置３の消灯スイッチ４８を押圧すると、消灯の照明制御信号が無線送信される。点灯装置４の制御部５６は、定電流回路６３，６４，６５，６５のそれぞれのトランジスタＱ３のオンオフ制御を停止する。また、力率改善回路６２の動作が停止する。これにより、ＬＥＤモジュール１３の第１〜第４の発光部２１〜２４の各青色ＬＥＤ２７，２９，３１および赤色ＬＥＤ３３に電流が流れなくなって、ＬＥＤモジュール１３から各色光が放射されなくなる。すなわち、ＬＥＤモジュール１３は消灯する。
【００７５】
そして、リモコン装置３の点灯スイッチ４７が再び押圧されると、消灯前の直近の照明制御信号が無線送信される。点灯装置４の制御部５６は、受信部５５が当該照明制御信号を受信すると、記憶部５９から最新の照明制御信号および最新の各色光の強度比を読み出す。そして、受信部５５が受信した照明制御信号と記憶部５９から読み出した最新の照明制御信号が一致していると、記憶部５９から読み出した最新の各色光の強度比に応じて、点灯回路５７の定電流回路６３，６４，６５，６５のそれぞれのトランジスタＱ３のオン時間およびオフ時間を制御する。これにより、リモコン装置３の色センサ４０で検出される各色光の強度比が操作部３８で設定された各色光の強度比と一致または略一致するようになり、操作部３８で設定された所望の照明光を迅速に得ることができる。
【００７６】
なお、点灯装置４の制御部５６は、色情報信号に付与されている各色光の強度比と、照明制御信号に付与されている各色光の強度比との差分を演算したときに、当該差分が所定値以上のときに定電流回路６３，６４，６５，６５のそれぞれのトランジスタＱ３をオンオフ制御するようにしてもよい。所定値は、例えば３〜１０％の範囲で任意に設定するとよい。
【００７７】
また、リモコン装置３の制御部４１は、時計を備え、定期的に定格強度を得るようにしてもよい。
【００７８】
また、光源は、第１〜第４の発光部２１〜２４を有するＬＥＤモジュール１３に形成したが、第１〜第４の発光部２１〜２４の一の発光部をそれぞれ個別に有するＬＥＤモジュールの組み合わせであってもよい。また、光源は、青色ＬＥＤ２７，２９，３１および赤色ＬＥＤ３３などの発光ダイオードを用いたものに限らず、可変色の蛍光ランプまたは発光色の異なる複数の蛍光ランプの組み合わせで形成されたものであってもよい。器具本体は、異なる色光が混光されるように光源を配設する構造に形成されていればよい。
【図面の簡単な説明】
【００７９】
【図１】本発明の一実施の形態を示す照明装置の概略構成図。
【図２】同じく、器具本体の概略上面図。
【図３】同じく、器具本体であり、（ａ）は概略下面図、（ｂ）は制光体を取り外した状態の概略下面図。
【図４】同じく、器具本体の概略側断面図。
【図５】同じく、ＬＥＤモジュールの概略正面図。
【図６】同じく、ＬＥＤモジュールの配置図。
【図７】同じく、リモコン装置の概略ブロック。
【図８】同じく、リモコン装置の概略正面図。
【図９】同じく、点灯装置の概略ブロック図。
【図１０】同じく、点灯回路の概略回路図。
【図１１】同じく、各発光ダイオードに対する電流の供給を示す説明図。
【図１２】同じく、各色光の分光分布図。
【符号の説明】
【００８０】
１…照明装置
２…器具本体
３…リモコン装置
４…点灯装置
３８…操作部
４０…色センサ
４１…制御部
４２…送信部
５５…受信部
５８…点灯回路部
５９…記憶部
【図１】
2009302008.tif 000003
【図２】
2009302008.tif 000004
【図３】
2009302008.tif 000005
【図４】
2009302008.tif 000006
【図５】
2009302008.tif 000007
【図６】
2009302008.tif 000008
【図７】
2009302008.tif 000009
【図８】
2009302008.tif 000010
【図９】
2009302008.tif 000011
【図１０】
2009302008.tif 000012
【図１１】
2009302008.tif 000013
【図１２】
2009302008.tif 000014